(57)【要約】      （修正有）【課題】蓋体がその前後左右を平行リンクで支持されている引き出し式食器洗い機について、開蓋バネによって、洗浄槽の押し込み抵抗が増大することがなく、また、洗浄槽が自然に収納位置に保持されるように、閉蓋機構を工夫すること。【解決手段】平行リンク１６を筐体に取付ける連結ピン１６ａ、１６ｂに反転子３０が所定範囲で回転可能に枢支され、上方に開口した切り欠３２きを有し、洗浄槽１２側壁に反転ピン３８が突設されており、反転用引っ張りバネ３５と反転子３０と反転ピン３８によりセンターオーバー機構が構成され、反転子３０の後方方向への回転により反転ピン３８を介して洗浄槽が後方に押され、平行リンク１６のリンク作用で蓋体１４が押し下げられ、当該蓋体１４が洗浄槽１２に押圧されて密封する構造になっており、閉蓋状態における開蓋バネによる開蓋方向の力よりも反転用引っ張りバネ３５による閉蓋方向の力の方が大きいこと。【選択図】 図１
2008295593.tif 000002
【特許請求の範囲】
【請求項１】
前後左右の平行リンクで蓋体の前後左右が支持されていて、蓋体が開蓋バネで前方に付勢されており、洗浄槽で蓋体を後方に押し、平行リンクで蓋体を引き下げて洗浄槽の開口部を閉蓋するようになっている引き出し式食器洗い機について、
平行リンクを筐体に取付ける連結ピンに反転子が所定範囲で回転可能に枢支されており、
上記反転子が上方に開口した切り欠きを有し、洗浄槽側壁に反転ピンが突設されており、
反転用引っ張りバネと反転子と反転ピンによりセンターオーバー機構が構成されており、
平行リンクの中間部に揺動爪が上記連結ピンと平行な支軸で枢支されていて、洗浄槽側面のガイドに係脱自在であり、
反転子の後方方向への回転により反転ピンを介して洗浄槽が後方に押され、平行リンクのリンク作用で上記開蓋バネに抗して蓋体が押し下げられ、当該蓋体が洗浄槽に押圧されて密封する構造になっており、
閉蓋状態における開蓋バネによる開蓋方向の力よりも反転用引っ張りバネによる閉蓋方向の力の方が大きいことを特徴とする引き出し式食器洗い機。
【請求項２】
上記反転用引っ張りバネが密着コイルバネである請求項１の引き出し式食器洗い機。
【請求項３】
上記反転子の押さえアームがその先端に押さえ部を有し、
洗浄槽が押し込まれて閉蓋されたとき、上記押さえ部が揺動爪の枢支軸に接近していて、当該枢支軸の上方への移動を阻止するようになっている請求項１の引き出し式食器洗い機。
【発明の詳細な説明】
【技術分野】
【０００１】
この発明は、引き出し式食器洗い機の洗浄槽の蓋の開閉機構に関するものであり、蓋体を平行リンクで洗浄槽に昇降自在に支持させてあり、洗浄槽の押し込み操作によって蓋体を下降させて洗浄槽を閉蓋するものについて、洗浄槽を容易に収納することができるとともに、ロック装置なしで洗浄槽を収納位置に保持させることができるものである。
【背景技術】
【０００２】
引き出し式食器洗い機の蓋の開閉機構は様々であるが、その一つの形態として洗浄槽の押し込み動作によって蓋体を引き下げて閉蓋させるものがあり（例えば、特許第３５３７７５９号公報、特開２００２−１７６４２号公報、特開２００２−１４３０７２号公報、特開２００３−５１８号公報）、上記蓋体を昇降自在に筐体に支持させる一つの形態として、前後左右の平行リンクで支持させたものがある。
【０００３】
〔従来技術１〕
前後左右の平行リンクで支持させた蓋体を引き下げて閉蓋する機構の一つの形態として、洗浄槽の後端で蓋体を後方に押し、上記平行リンクで蓋体を引き下げる（下降させる）ものがある（例えば、上記特開２００２−１４３０７２号公報）。このものは、図８に示すように、前後左右の平行リンク１５，１６で蓋体１４を支持させ、これを開蓋バネ１８で前方に付勢してあり、洗浄槽１２が押し込まれると、その後端縁が蓋体１４のフランジ１４ｆに当接してこれを後方に押し、平行リンク１５，１６で蓋体１４を引き下げて閉蓋するものである（以下これを「従来技術１」という）。
そして、洗浄槽１２が筐体１０から引き出されると、蓋体１４はそのフランジ１４ｆに対する後方への押さえがなくなるので、開蓋バネ１８によって前方に引っ張られる。そして、蓋体１４が前方に移動すると平行リンク１５，１６が前方に回転し、蓋体１４が上方に押し上げられる。
【０００４】
〔従来技術２〕 
また、平行リンクで支持させた蓋体を洗浄槽の側面に設けた傾斜カムで押し下げるようにしたものがある（上記特許第３５３７７５９号公報）。これは、図９に示すものであり、上記平行リンクをく字状の屈曲リンクとし、この屈曲リンクの中間部にカムローラーを設けてあり、当該カムローラーを上記傾斜カムで押し下げ、平行リンク１６を回転させて、開蓋バネ１８に抗して蓋体を引き下げるものである。洗浄槽１２は、筐体１０のレール１１によって前後方向（図において左右方向）に出し入れ自在に支持されており、洗浄槽１２が押し込まれて収納されたとき、その前端の前扉１３で筐体１０の前端開口部が閉じられる。
【０００５】
そして、蓋体１４は前方左右の平行リンク１５，１５、後方左右の平行リンク１６，１６で筐体１０の側壁１７に連結されており、洗浄槽１２の側壁前部と後部にそれぞれ傾斜カム１２０があり、当該傾斜カム１２０に対するカムローラー１２５が平行リンク１５，１６の中間部に設けられている。例えば、平行リンク１６では、その下端が連結ピン１６ａで筐体１０の側壁１７に連結されており、上端が連結ピン１６ｂで蓋体１４に連結されている。
【０００６】
洗浄槽１２が押し込まれると（図９−１（ａ））、押し込み操作の終り近くで、傾斜カム１２０がカムローラー１２５に当接し、当該カムローラー１２５を押し下げ、前後左右の平行リンク１５，１６を後方に回転させて、蓋体１４を下方に引き下げる（図９ー１（ｂ））。蓋体１４は前後左右を平行リンク１５，１６で支持されているので水平状態で引き下げられ、洗浄槽１２の開口部に当接してこれを閉じ、その下面のパッキンによって洗浄槽の上方開口部を密封する。
このとき、傾斜カム１２０による蓋体１４の下降ストローク（又は、蓋体に対する押しつけ力）は、傾斜カム１２０とカムローラー１２５の上下方向の位置関係等に左右される。
【０００７】
他方、洗浄槽１２が引き出されると、カムローラー１２５に対する傾斜カム１２０による押さえがなくなるので、蓋体１４は開蓋バネ１８によって前方に引っ張られ、平行リンク１５，１６によって上方に押し上げられて、洗浄槽が開蓋される（以下、これを「従来技術２」という）。
【０００８】
以上の従来技術１，２のいずれについても、蓋体に対する押しつけ力（パッキンに対する締め付け力）が、洗浄槽の筐体に対する組み付け誤差、平行リンク、傾斜カム、カムローラーなどの組み付け誤差、洗浄槽の変形等が蓋体のシール性能に大きく影響する。
また、従来技術１，２については、開蓋バネで洗浄槽が収納位置から自然に前方に戻されて蓋体１４に対する押さえが緩んでそのシール性能が低下するので、これを収納位置にしっかり保持しなければならないという問題があり、そのために、ソレノイドで駆動されるロック装置を設けている（例えば、上記特開２００２−１７６４２号公報）。
【特許文献１】特許第３５３７７５９号公報
【特許文献２】特開２００２−１７６４２号公報
【特許文献３】特開２００２−１４３０７２号公報
【特許文献４】特開２００３−５１８号公報
【発明の開示】
【発明が解決しようとする課題】
【０００９】
〔従来技術の問題点〕
上記従来技術１，２では、蓋体が平行リンクで支持され、平行リンクで昇降されるから、蓋体に対する支持が安定し、蓋体の昇降動作が円滑で、また、安定的である。しかし、洗浄槽の押し込み操作の終り近くで、蓋体１４が開蓋バネに抗して後方に押されるようになるので、開蓋バネが押し込み操作に対する抵抗になる。
したがって、従来技術１，２については、洗浄槽の押し込み操作に対する負荷が大きく、洗浄槽が開蓋バネで引き戻されて蓋体に対する押さえが緩み、シール不良を生じるという問題があり、特に、従来技術１についてこの問題が顕著である。
【００１０】
〔課題〕
この発明は、蓋体がその前後左右を平行リンクで支持されており、洗浄槽で蓋体が開蓋バネに抗して後方に押され、平行リンクで引き下げられ、洗浄槽が閉蓋されるようになっている引き出し式食器洗い機について、
開蓋バネによって、洗浄槽の押し込み抵抗が増大することがなく、また、洗浄槽が自然に収納位置に保持されるように、閉蓋機構を工夫することである。
【課題を解決するための手段】
【００１１】
上記課題を解決するための手段は、前後左右の平行リンクで蓋体の前後左右が支持されていて、洗浄槽で蓋体を後方に押し、平行リンクで蓋体を引き下げて洗浄槽の開口部を閉蓋するようになっている引き出し式食器洗い機について、次の（イ）乃至（へ）によるものである。
（イ）平行リンクを筐体に取付ける連結ピンに反転子が所定範囲で回転可能に枢支されており、
（ロ）上記反転子が上方に開口した切り欠きを有し、洗浄槽側壁に反転ピンが突設されており、
（ハ）反転用引っ張りバネと反転子と反転ピンによりセンターオーバー機構が構成されており、
（ニ）平行リンクの中間部に揺動爪が上記連結ピンと平行な支軸で枢支されていて、洗浄槽側面のガイドに係脱自在であり、
（ホ）反転子の後方方向への回転により反転ピンを介して洗浄槽が後方に押され、平行リンクのリンク作用で上記開蓋バネに抗して蓋体が押し下げられ、当該蓋体が洗浄槽に押圧されて密封する構造になっており、
（ヘ）閉蓋状態における開蓋バネによる開蓋方向の力よりも反転用引っ張りバネによる閉蓋方向の力の方が大きいこと。
【００１２】
〔作用〕
蓋体は、前後左右の平行リンクによって昇降自在に支持されており、洗浄槽が押し込まれて収納されたとき、その後端で蓋体が後方に押され、平行リンクが後方に回転して蓋体が開蓋バネに抗して引き下げられることは従来技術１と違いがない。
しかし、洗浄槽で蓋体が後方に押され、平行リンクが後方に回転するにつれて当該平行リンクに枢支されている揺動爪が下降し、洗浄槽側壁のガイドの下面に係合して平行リンクを係止し、これによって蓋体を閉蓋位置に保持する。
洗浄槽が引き出されると、洗浄槽のガイドが前方に移動して、上記揺動爪から外れるので、上記揺動爪による平行リンクに対する係止が外され、平行リンクがフリーになる。そして、開蓋バネによって開蓋される。
【００１３】
また、洗浄槽が押し込まれると、押し込み操作の終わり近くで洗浄槽側壁に突設された反転ピンが反転子の切り欠きに嵌り込み、反転用引っ張りバネに抗して反転子を回転させる。そして、当該バネによる反転子に対する付勢方向が、反転用引っ張りバネが中立位置を通過したときに、前方方向から後方方向に反転し、そして、その回転力で反転ピンを介して洗浄槽が後方に押され、平行リンクを介して蓋体が下方に引き下げられる。そして、開蓋バネによって蓋体を上方に引き戻す力よりも、反転用引っ張りバネによって蓋体を引き下げる力の方が大きいので、反転用引っ張りバネによって蓋体が洗浄槽の開口部に押圧されてこれを密閉し、
さらに、洗浄槽は反転用引っ張りバネで後方に押されて収納位置に保持されるので、開蓋バネのバネ力等で引き戻されて蓋体に対する押さえが緩むことはない。
【００１４】
なお、上記作用からして、反転子が平行リンク下部の連結ピンに枢支されている必要はないが、反転機構を簡略にする上で上記連結ピンに反転子を枢支させるのが望ましい。しかし、機構設計上は反転子を上記連結ピンとは別の支軸に枢支させることもでき、これによって所期の機能を奏することは十分可能である。
【発明の効果】
【００１５】
以上のように、洗浄槽の押し込み操作の終り近くになると、洗浄槽の反転ピンが反転子の切り欠きに嵌って反転子を後方に回転させて、反転用引っ張りバネを伸張させ、その後、反転用引っ張りバネで洗浄槽を後方に押して移動させるので、これによって押し込み操作が助勢される。したがって、途中から開蓋バネによる抵抗が加わるにも関わらず、押し込み操作は安定し、軽快であり、また、洗浄槽は収納位置に確実に保持される。
また、蓋体の洗浄槽に対する押しつけ力は、反転用引っ張りバネのバネ荷重（バネ力）で規定されるので、閉蓋機構や案内レールの組み立て誤差や洗浄槽の変形等によって影響されることはない。
それゆえ、蓋体による密閉性は安定し、耐久性は高い。
また、上記反転用引っ張りバネが密着コイルバネであるので、初期張力を大きくし、反転子の回転で伸張させて、大きなバネ荷重を反転子に与えることができる。
【発明を実施するための最良の形態】
【００１６】
次いで、図面を参照して実施例を説明する。
この実施例の基本構造は、図８、図９に示す従来例と格別の違いがない。
図１において平行リンク１６が連結ピン１６ａ，１６ｂで筐体の側壁、蓋体１４にそれぞれ連結されており、平行リンク１６の中間部に揺動軸２５ａがあり、当該揺動軸２５ａに揺動爪２５の上端が枢支されている。洗浄槽１２の側壁に傾斜カム面を有するガイド２０が突設されており、揺動爪２５が平行リンク１６とともに引き下げられて、ガイド２０の水平下面に係合し、これによって、平行リンク１６を下降位置に保持して、蓋体１４の浮き上がりを阻止する。
平行リンク１６の下端を筐体側壁に連結している連結ピン１６ａに反転子３０の中間部が枢支されている。したがって、この実施例では連結ピン１６ａが反転子３０の枢支軸を兼ねていることになる（以下、これを一方において「連結ピン１６ａ」とし、他方において「枢支軸３０ｓ」とする）。
なお、この実施例では、ストッパー４０は組み付け誤差等のために反転子が後方に過剰に回転するのを阻止するためのものである。
【００１７】
反転子３０の上部３１に上方に開口した切り欠き３２があり、当該切り欠き３２の右側の片（右側片）が押さえアーム３１ｂであり、当該押さえアーム３１ｂが左側の片（左側片）３１ａよりも長い。上記左側片３１ａの先端部に切り起こし片３１ｘがあり、この切り起こし片３１ｘに反転用引っ張りバネ３５の上端が連結されている。他方、反転用引っ張りバネ３５の下端が筐体１０（図２）の側壁の切り起こし部１０ｘに連結されている。この反転用引っ張りバネ３５は密着コイルバネであり、初期張力がかけられている。そして、枢支軸３０ｓを支軸にして反転子３０が左右に回転するとき、反転用引っ張りバネ３５が枢支軸３０ｓを通過してその左右に移動する（センターオーバーする）。筐体の側壁に上下のストッパー４０，５０があり、反転子３０の下部３３がこれらのストッパーに当接して反転子３０の左右両方向への回転範囲が規制される。なお、この実施例では、ストッパー４０は組み付け誤差や異常による反転子の後方への過剰回転を阻止するためのものである。
【００１８】
洗浄槽１２が引き出された状態では、反転子３０は前方方向（反時計方向）に回転した位置にあり、反転用引っ張りバネ３５が枢支軸３０ｓよりも前方に位置していて、反転子３０を反時計方向に付勢している（図３）。この状態から洗浄槽１２が押し込まれると、押し込みストロークの終わり近くで反転ピン３８が上記切り欠き３２に嵌り込み、枢支軸３０ｓを中心にして反転子３０を後方（時計方向）に回転させる。反転子３０の時計方向への回転に伴って、反転用引っ張りバネ３５が伸張しながら後方に移動して枢支軸３０ｓに接近し、その中心線が枢支軸３０ｓに重なり（図４）、これを通過して枢支軸３０ｓの後方に移動する。このとき、反転用引っ張りバネ３５による反転子３０に対する回転方向が、反時計方向から時計方向に反転し、反転子３０は反転用引っ張りバネ３５によって時計方向に付勢されることになる。
【００１９】
なお、反転用引っ張りバネ３５は反転子に対して所要の大きさのバネ荷重（バネ力）を与えるものでなければならず、また、反転用引っ張りバネ３５の伸張量が小さく、そのバネ係数は小さい方が好ましい（洗浄槽１２の出し入れ操作に対する負荷の変化は小さい方が好ましい）ので、この実施例ではバネ係数が比較的小さい密着コイルバネを採用してあり、これによって、大きな初期張力が反転子に与えられている。この反転用引っ張りバネ３５のバネ特性は図７に示すものであり、伸び量「Ｌ＋５ｍｍ」でのバネ荷重が３ｋｇｆ、伸び量「Ｌ＋１０ｍｍ」でのバネ荷重が５ｋｇｆになっている。この例では、洗浄槽で後方に押されて閉蓋されている状態で、上記伸び量は約「L＋５ｍｍ」である。
【００２０】
そして、反転用引っ張りバネ３５による反転子の回転方向が反時計方向から時計方向に反転して、その押さえアーム３１ｂが反転ピン３８を介して洗浄槽１２を後方に押し、洗浄槽が終点まで押し込まれた状態で、洗浄槽を押して蓋体１４を押し、平行リンク１５，１６のリンク作用で蓋体を洗浄槽に押しつけることになる。そして、この状態で、蓋体１４に対する所要の押しつけ力が得られるように、例えば、２〜３ｋｇｆの押し力が蓋体１４にかけられている。この押さえ力の大きさについては、反転用引っ張りバネ３５のバネ荷重の調節と反転子の構造設計によって適宜選択される。
【００２１】
洗浄槽１２が筐体に押し込まれると、その押し込み操作の終り近くで反転ピン３８が反転子３０の切り欠き３２に嵌り込んで（図３）、反転用引っ張りバネ３５に抗して反転子３０を後方に押し、これを時計方向に回転させる（図４）。
反転用引っ張りバネ３５が枢支軸３０ｓよりも後方に移動すると、洗浄槽１２が当該引っ張りバネ３５のバネ力で反転子３０を介して後方に押されるようになる。そして、最終位置まで押し込まれた後も洗浄槽１２は反転用引っ張りバネ３５のバネ力で後方に押され、その位置に保持される（図６）。
【００２２】
このとき、洗浄槽１２が押し込まれるにつれて、ガイド２０が後方に移動して揺動爪２５に接近してその下部（フック部２５ｃ）に当接し、これを反時計方向に回転させて押し上げる（図４）。他方、洗浄槽１２の後端が蓋体１４のフランジ１４ｆに当接して（図４）、蓋体１４が後方に押されるにつれて平行リンク１６が連結ピン１６ａを中心にして時計方向（後方方向）に回転し、これに伴って揺動爪２５が下降する。
上記のように、最初はガイド２０が揺動爪２５の下部（フック部）２５ｃに当たってこれを後方に押し、揺動爪２５は揺動軸２５ａを支軸にして反時計方向に回転して押し上げられる（図４）が、他方において、平行リンク１６とともに下降するので、揺動爪２５は時計方向に自然に戻って（図５）、最終的にその下部（フック部）２５ｃがガイド２０の下方に回り込み（図６）、揺動爪２５の下部（フック部）２５ｃの先端がガイド２０の水平下面２０ｂに当接した状態になる（図１−２（ａ）参照）。これが洗浄槽が筐体に完全に押し込まれて収納された状態である。
【００２３】
洗浄槽１２が筐体に収納された状態（図６）から蓋体１４が開蓋バネ１８で引っ張られて前方に移動すると、平行リンク１６が反時計方向に回転するが、このとき揺動爪２５の下部（フック部）２５ｃがガイド２０の水平下面２０ｂに当接しているので、揺動爪２５の下部（フック部）２５ｃがガイド２０の水平下面に引っかかり、平行リンク１６の反時計方向への回転を阻止する。したがって、開蓋バネによって引っ張られて蓋体１４が洗浄槽から浮き上がることはない。
【００２４】
また、この実施例では、反転子３０が時計方向に回転した状態（閉蓋状態）では押さえアーム３１ｂの押さえ部３１ｃが揺動軸２５ａに接近するように構成している。このようにすれば、もし、組み立て誤差、洗浄槽の変形などのために揺動爪２５に対するガイド２０による係止が不完全であっても、そのために上記揺動軸２５ａが少し上昇すると、反転子３０の押さえ部３１ｃにすぐ当接して押さえられるので、平行リンク１６の前方への回転が押さえ部３１ｃで阻止される。したがって、もし、ガイド２０と揺動爪２５とによるロックが不完全になっても、反転子３０によって平行リンク１６が直接押さえられる。したがって、蓋体１４が浮き上がることはない。
【００２５】
洗浄槽１２が筐体１０に収納され、蓋体１４で閉蓋された状態（図６）から引き出されると、反転ピン３８が反転子３０の切り欠き３２に嵌っているので、反転子３０が反転ピン３８によって前方に押され、反転用引っ張りバネ３５に抗して反時計方向に回転される。このときガイド２０は洗浄槽が引き出されるにつれて前方に移動するので、その当初の段階でガイド２０の水平下面２０ｂの後端が揺動爪２５の下部（フック部）２５ｃから前方に外れる（図５及び図１−２（ｂ））。その後さらに洗浄槽１２が引き出されると、この洗浄槽の前進に伴って、その分だけ蓋体１４が前方に移動し、平行リンク１５，１６のリンク作用で斜め上方に押し上げられる。このとき、ガイド２０は前方に移動し、他方、揺動爪２５の下部（フック部）２５ｃは平行リンク１６の前方への回転によって引き上げられる（図１−２（ｂ））ので、揺動爪の下部２５ｃはガイド２０の傾斜下面２０ａにそって後方に移動し、ガイド２０から外れる。他方、反転子３０の押さえ部３１ｃは前方に回転して揺動軸２５ａから斜め上方に離間してゆく。
したがって、洗浄槽１２が引き出されるとき、蓋体１４は揺動爪２５や反転子３０の押さえ部３１ｃによって規制されることなく、上方に押し上げられる。
【００２６】
洗浄槽１２がさらに引き出されると、反転子３０はさらに反時計方向に回転して、反転用引っ張りバネ３５が枢支軸３０ｓを通過してその前方に移動し、そのバネ荷重（バネ力）による反転子３０に対する付勢方向が反転し、洗浄槽１２が前方に押されるようになる。その後、反転ピン３８は切り欠き３２から抜け出して（図３）、反転子３０から前方に離れる。他方、反転子３０はストッパー５０に当接する位置まで回転してその位置に保持される。
【図面の簡単な説明】
【００２７】
【図１】は、実施例の要部拡大図
【図１−１】（ａ）は、平行リンクとガイドと揺動爪の相互関係を示す説明図、（ｂ）は、（ａ）の平面図、（ｃ）は、（ａ）の側面図
【図１−２】（a）は、揺動爪がガイドに係合する状態の説明図、（ｂ）は、揺動爪がガイドから離脱する状態の説明図
【図２】は、図６におけるＡ−Ａ断面図
【図２−１】は、図２の一部拡大図
【図３】は、洗浄槽の押し込み動作の説明図
【図４】は、洗浄槽の押し込み動作の他の説明図
【図５】は、洗浄槽の押し込み動作のさらに他の説明図
【図６】は、洗浄槽の閉蓋状態を示す図
【図７】は、反転用引っ張りバネの特性を示す図
【図８】は、従来例の断面図
【図９】は、他の従来例における閉蓋動作の説明図
【図９−１】（ａ）は、上記他の従来例における開蓋状態の要部詳細図、（ｂ）は、閉蓋状態の要部詳細図
【符号の説明】
【００２８】
１０：筐体
１２：洗浄槽
１３：前扉
１４：蓋体
１５，１６：平行リンク
１６ａ，１６ｂ：連結ピン
２０：ガイド
２５：揺動爪
２５ａ：揺動軸
２５ｃ：揺動爪２５の下部（フック部）
３０ｓ：枢支軸
３１：反転子の上部
３１ｂ：押さえアーム
３１ｃ：押さえ部
３２：切り欠き
３３：反転子の下部
３８：反転ピン
３５：反転用引っ張りバネ
４０，５０：ストッパー
【図１】
2008295593.tif 000003
【図１−１】
2008295593.tif 000004
【図１−２】
2008295593.tif 000005
【図２】
2008295593.tif 000006
【図２−１】
2008295593.tif 000007
【図３】
2008295593.tif 000008
【図４】
2008295593.tif 000009
【図５】
2008295593.tif 000010
【図６】
2008295593.tif 000011
【図７】
2008295593.tif 000012
【図８】
2008295593.tif 000013
【図９】
2008295593.tif 000014
【図９−１】
2008295593.tif 000015